(57)【特許請求の範囲】
【請求項１】
フランジ部付きの物品を、機器類側の取付面に前記フランジ部を配置して着脱可能に固定するロック装置において、
前記取付面側に立設される対向した脚部を有した支持部材と、
前記両脚部の間に枢軸を介し回動可能に設けられて、前記両脚部の間にほぼ収まった非係止位置、及び前記両脚部の間から突出されて前記フランジ部を前記取付面に押圧係止する係止位置に切り換えられるアンカー部材と、
前記アンカー部材を前記係止位置の方向へ付勢している付勢部材と、
前記支持部材に軸を介し枢支されている共に前記軸を挟んだ両側に操作部をそれぞれ有し、前記各操作部を選んで前記支持部材上から前記取付面側への押し操作により前記アンカー部材を前記係止位置及び非係止位置にそれぞれ切換可能な操作部材とを備え、
前記操作部材及びアンカー部材は常に圧接するカム面及び圧接部の一方をそれぞれ形成し、また、前記操作部材及び前記支持部材は互いに係脱する突起と係合部の一方をそれぞれ形成しており、
前記アンカー部材が前記カム面及び圧接部を介し前記操作部の押し操作に連動して前記係止位置と非係止位置とに切り換えられ、かつ、前記突起と係合部との係合により前記付勢部材の付勢力に抗して前記非係止位置に保持されることを特徴とするロック装置。
【請求項２】
前記アンカー部材は、先端に段差状に設けられて前記枢軸からの距離を異にした第１及び第２係止面を有し、前記両係止面が前記フランジ部の板幅寸法等に応じて使い分けられる請求項１に記載のロック装置。
【請求項３】
機器類側の取付面に対しレンズ組立体を請求項１又は２に記載のロック装置を２以上用いて固定していることを特徴とする光学装置。
【発明の詳細な説明】
【０００１】
【発明の属する技術分野】
本発明は、物品を機器本体等の取付面に対し着脱可能に固定するロック装置のうち、特に着脱操作を前方からの押し操作により行えるようにしたロック装置及びそれを用いた光学装置に関するものである。
【０００２】
【従来の技術】
図７は液晶プロジェクタを前側から見た模式図である。このプロジェクタ１は、ハウジング２に内蔵されて液晶パネル及び回路系等を配置しているシャーシ３に対し可動枠４を昇降可能に支持し、該可動枠４に投写レンズ５を着脱可能に固定している。そして、投写レンズ５は、ハウジング２に設けられた比較的大きな開口２ａから露出され、可動枠４を介し上下調整される。ところで、従来構造では、投写レンズ５がフランジ部（マウント）を有し、該フランジ部を可動枠４の取付面（取付座又は基準面）に位置決め配置して、複数本の止めねじにより固定していた。このような、投写レンズ５は、可動枠４への固定強度と共に修理や交換時に開口２ａ等を通じて簡単に着脱されることが要求される。
【０００３】
【発明が解決しようとする課題】
ところが、上記従来の止めねじ構造では、投写レンズ５の修理や交換等において外した止めねじが機器内に落ちたり紛失することもあった。また、投写レンズ５の着脱を繰り返すうちにねじ穴の雌ねじが潰れる等して投写レンズ５の固定強度を充足できなくなる虞もあった。
【０００４】
本発明は以上のような背景から開発されたものである。その目的は、付勢部材の付勢力を付与したアンカー部材により物品を取付面に着脱可能に固定するロック装置において、部材数が少なく、かつ物品をワンタッチ操作により着脱でき、また、固定及び離脱の何れの操作も前方からの押し操作で行うことができるロック装置及びそれを用いた光学装置を提供することにある。
【０００５】
【課題を解決するための手段】
上記した目的を達成するため本発明は、図面に例示される如く、フランジ部５３付きの物品５を、機器側の取付面４３に前記フランジ部５３を配置して着脱可能に固定するロック装置６において、前記取付面側に立設される対向した脚部６０Ａ，６０Ｂを有した支持部材６０と、前記両脚部の間に枢軸８を介し回動可能に設けられて、前記両脚部６０Ａ，６０Ｂの間にほぼ収まった非係止位置、及び前記両脚部６０Ａ，６０Ｂの間から突出されて前記フランジ部５３を前記取付面に押圧係止する係止位置に切り換えられるアンカー部材６３と、前記アンカー部材６３を前記係止位置の方向へ付勢している付勢部材１０と、前記支持部材６０に軸を介し枢支されている共に前記軸９を挟んだ両側に操作部６６Ｃ，６７ｄをそれぞれ有し、前記各操作部を選んで前記支持部材上から前記取付面側への押し操作により前記アンカー部材６３を前記係止位置及び非係止位置にそれぞれ切換可能な操作部材６６とを備え、
前記操作部材６６及びアンカー部材６３は常に圧接するカム面６４ｃ及び圧接部６７ｃの一方をそれぞれ形成し、また、前記操作部材６６及び前記支持部材６０は互いに係脱する突起６２ｄと係合部６７ａの一方をそれぞれ形成しており、前記アンカー部材６３が前記カム面６４ｃ及び圧接部６７ｃを介し前記操作部の押し操作に連動して前記係止位置と非係止位置とに切り換えられ、かつ、前記突起６２ｄと係合部６７ａとの係合により前記付勢部材１０の付勢力に抗して前記非係止位置に保持されることを特徴としている。
【０００６】
以上の構造によれば、物品５を固定する場合は、例えば、アンカー部材６３を非係止位置にした状態で、物品５のフランジ部５３を取付面４３に位置決め配置した後、操作部材６６を押し操作して、アンカー部材６３を付勢部材１０の付勢力により非係止位置から係止位置方向へ回動する。すると、アンカー部材６３は、先端側がフランジ部５３の上縁等に（取付面との間でフランジ部を挟持するよう）係止されて、フランジ部５３を付勢部材１０の付勢力に応じた強さで取付面側に係止固定する。物品５を外す場合は、操作部材６６を押し操作して、アンカー部材６３を付勢部材１０の付勢力に抗して非係止位置へ切り換えると、アンカー部材６３が両脚部６０Ａ，６０Ｂの間にほぼ入ってフランジ部５３への規制を解放する。構造特徴は、アンカー部材６３の係止力を付勢部材１０の付勢に比例した強さで得る場合、部材数を抑え簡易化すると共に、物品５の固定及び離脱操作を支持部材上（前方）から取付面側への押し操作により行えるようにした点にある。このため、この構造は、請求項６に挙げた如くレンズ組立体５を対応する取付面側に着脱可能に固定する光学装置１に好適なものとなる。
【０００７】
また、以上の構造において、操作部材６６は、支持部材６０に軸９を介し枢支されている共に軸９を挟んだ両側に操作部６０Ｃ，６７ｂをそれぞれ有し、アンカー部材６３を前記操作部を選んで係止位置と非係止位置とに切り換える。これは、前記した如く物品５の固定及び離脱操作を同じく取付面側への押し操作により行えるようにする上で、各操作部６６Ｃ，６７ｂを操作部材６６と一体形成して簡易化し易くする。
同時に、操作部材６６及びアンカー部材６３は常に圧接するカム面６４ｃ，６４ｄ及び圧接部６７ｃの一方をそれぞれ形成しており、アンカー部材６３がカム面６４ｃ，６４ｄ及び圧接部６７ｃを介し前記操作部の押し操作に連動して前記係止位置と非係止位置とを回動切り換えられる。これは、操作部材６６とアンカー部材６３がカム面６４ｃ，６４ｄ及び圧接部６７ｃを介し常に作動連結されている点を特定したもので、例えば、アンカー部材６３の非係止位置への切り換え操作を、操作部材６６（操作部６７ｂ）の押す距離を抑えて瞬時に行えるようにする。
同時に、操作部材６６及び支持部材６０は互いに係脱する突起６２ｄと係合部６７ａの一方をそれぞれ形成しており、突起６２ｄと係合部６７ａとの係合により、アンカー部材６３を付勢部材１０の付勢力に抗して前記非係止位置に保持する。これは、アンカー部材６３が形態例の如く突起６２ｄと係合部６７ａの係合により非係止位置に保持されるようにすると、フランジ部５３をアンカー部材６３に不用意に当てることなく取付面４３側に配置可能となる。但し、本発明装置６は、例えば、アンカー部材６３を物品５のフランジ部５３で押して非係止位置の方向へ回動することも可能なため、このような突起及び係合部がなくても使用可能である。
以上の本発明は請求項２のように具体化されることがより好ましい。すなわち、前記アンカー部材６３は、先端に段差状に設けられて前記枢軸８からの距離を異にした第１及び第２係止面６５ａ，６５ｂを有し、前記両係止面が前記フランジ部５３の板幅寸法等に応じて使い分けられる。これは、フランジ部５３の板幅寸法や厚さが多少違っても同じロック装置６を適用可能にして汎用性を具備できようにする。
【０００８】
【発明の実施の形態】
本発明の実施形態について図面を参照し説明する。図１は形態例のロック装置を示し、同（ａ）はアンカー部材が非係止位置において保持された状態で示す模式外観図、同（ｂ）はアンカー部材が係止位置へ回動されかつ保持された状態で示す模式外観図である。図２は前記ロック装置を分解した構成図、図３（ａ）〜（ｃ）は前記ロック装置の作動を示している。図４は前記ロック装置を用いて投写レンズを移動枠に固定した液晶プロジェクタの要部模式外観図、図５は図４の要部模式分解図である。図６は液晶プロジェクタの要部を前から見たもので、同（ａ）は投写レンズを取り付けない状態での一部破断した正面図、同（ｂ）は投写レンズを固定しかつ上移動した状態での正面図である。図７は前記ロック装置を使用している液晶プロジェクタの概略図である。以下の説明では、ロック装置の構造、組立、基本作動を詳述した後、用途例と使用要領等に言及する。
【０００９】
（ロック装置）ロック装置６は、図１と図２に示される如く主部材が機器類等の取付面に立設される支持部材６０、支持部材６０に回動可能に組み付けられるアンカー部材６３及び操作部材６６からなり、これらが枢軸や軸としてのシャフト８，９及び付勢部材であるコイルばね１０により一体的に組立られている。そして、装置特徴は、操作部材６６が支持部材６０上つまり前方から取付面側への押し操作により、アンカー部材６３を支持部材６０の内側にほぼ退避させた非係止位置に保持し、又、該保持を解放しアンカー部材６３を付勢部材１４の付勢力により回動して支持部材６３の内側から突出する係止位置に切換可能となっている。
【００１０】
ここで、支持部材６０、アンカー部材６３、操作部材６６は金属製のプレス品であるが他の材質であってもよい。支持部材６０は、上側が略コ形をなし、両側の対向した脚部６０Ａ，６０Ｂ、両脚部６０Ａ，６０Ｂを連結している接続部６０Ｃを有し、下側が接続部６０Ｃを欠如している。脚部６０Ａ，６０Ｂは、下側を直角に折り曲げた設置部６１ａ，６１ｂを一体に形成している。設置部６１ａ，６１ｂは、取付用孔６１ｃを有し、又、脚部６０Ａ，６０Ｂから突出する部分を異形状に形成している。また、各脚部６０Ａ，６０Ｂの上側には、軸用の装着孔６２ａ及び装着孔６２ｂがそれぞれ同軸線上に設けられている。装着孔６２ａは、装着孔６２ｂよりも上前側に位置していると共に、大きな孔径となっている。各脚部６０Ａ，６０Ｂの上前縁は略円弧に形成され、円弧の下に凹部６１ｄが設けられている。脚部６０Ａの上側外面には係止凸部６２ｄが装着孔６２ａの下側に設けられている。接続部６０Ｃには、脚部６０Ｂ側の上側角部に係止溝部６２ｃが設けられている。係止溝部６２ｃは、接続部６０Ｃと脚部６０Ｂとの間の上側角部を一部切り欠き、該切り欠き部に溝開口を位置した状態で形成されている。
【００１１】
アンカー部材６３は、両脚部６０Ａ，６０Ｂの間にほぼ収まる大きさをなし、各脚部６０Ａ，６０Ｂの内面に沿って配置可能な両片部６３Ａ，６３Ｂと、両片部６３Ａ，６３Ｂの背面側にあって片部同士の中間部を連結している接続部６３Ｃと、各片部６３Ａ，６３Ｂの先端（下端）側に設けられた係止部６５とを一体に有している。各片部６３Ａ，６３Ｂには、前記した装着孔６２ａに重ねられる軸孔６４ａが係止部６５と反対側の端部に設けられている。接続部６３Ｃには、片部６３Ａ側の上側角部に係止溝部６４ｂが設けられている。このため、係止溝部６４ｂは、アンカー部材６３が両脚部６０Ａ，６０Ｂの間に配置された状態で、前記した係止溝部６２ｃと反対側にくる。各片部６３Ａ，６３Ｂの前縁は略円弧に形成されているが、片部６３Ａの方は２個の小円弧のカム面６４ｃ，６４ｄで構成されている。カム面６４ｃ，６４ｄは、後述する操作部材６６が圧接部６７ｃを介し当接されて作動連結される。
【００１２】
操作部材６６は、支持部材６０の上側外周に嵌合される略コ形をなし、両脚部６０Ａ，６０Ｂに沿って配置される両アーム部６６Ａ，６６Ｂと、両アーム部６６Ａ，６６Ｂを連結して接続部６０Ｃに沿って配置される接続部６６Ｃとを有している。両アーム部６６Ａ，６６Ｂは、前記した装着孔６２ｂに重ねられる軸孔６６ｄを有していると共に、各脚部６０Ａ，６０Ｂの上側の板幅よりも少し長く形成されている。このため、接続部６６Ｃは、両アーム部６６Ａ，６６Ｂが軸孔６６ｄを対応する装着孔６２ｂに重ねた状態で、接続部６０Ｃとの間に若干の隙間を保って配置される。これにより、接続部６６Ｃは、操作部材６６を一方向へ押し操作するための操作部（一方の操作部）を兼ねることが可能となる。また、アーム部６６Ａは、アーム部６６Ｂよりも若干長く形成された延長部６７を有している。延長部６７には手前側から先端に向けて係合部６７ａ、操作部（他方の操作部）６７ｂ、圧接部６７ｃが設けられている。このうち、係合部６７ａは、前記した係止凸部と係合することにより、アンカー部材６３を図１（ａ）の非係止位置に保持する。操作部６７ｂは、係合部６７ａと圧接部６７ｃの間にあって、係合部６７ａと反対の側縁から起立され、又、一方の操作部を兼ねる接続部６０Ｃとは軸孔６６ｄを挟んだ反対側に位置している。圧接部６７ｃは、延長部６７の先端を内向きに折り曲げることにより形成されている。
【００１３】
（組立）以上の主部材は、例えば、次のような手順で組み付けられる。まず、アンカー部材６３が支持部材６０にシャフト８を介しコイルばね１０と共に組み付けられる。この場合は、アンカー部材６３を両脚部６０Ａ，６０Ｂの間に配置した状態で、シャフト８が一方の装着孔６２ａ及び軸孔６４ａに通され、両片部６３Ａ，６３Ｂの間に配置したコイルばね１０の内径に挿通された後、他方の軸孔６４ａ及び装着孔６２ａに通される。シャフト８は、割溝付きで装着孔６２ａの内径より大きな外径の筒形をなし、両端部８ａが装着孔６２ａに圧入されて少し外へ突出した状態で支持部材６０に抜け止め固定される。すると、アンカー部材６３はシャフト８を軸として回動可能に枢支され、コイルばね１０はシャフト８回りに支持される。次に、操作部材６６が支持部材６０にシャフト９を介し取り付けられる。この場合は、支持部材６０の対応部分を両アーム部６６Ａ，６６Ｂの内側に入れるようにして、両側の軸孔６６ｄを対応する装着孔６２ｂに重ねた状態で、シャフト９が一方の軸孔６６ｄ及び装着孔６２ｂに挿通された後、他方の装着孔６２ｂ及び軸孔６６ｄに通される。シャフト９は、割溝付きで装着孔６２ｂの内径より大きな外径の筒形をなし、両端部９ａが装着孔６２ｂに圧入された状態で支持部材６０に抜け止め固定されて、操作部材６６を回動可能に枢支する。その後、前記したコイルばね１０は、一端１０ａを片部６３Ａの係止溝部６４ｂに係止した状態から、他端１０ｂが図２の想像線で示す如く回動されて付勢圧を発現しながら接続部６０Ｃの係止溝部６２ｃに係止される。
【００１４】
（基本作動）このようにして、組み立てられたロック装置６は、アンカー部材６３が図１（ａ）の如く脚部６０Ａ，６０Ｂの間にほぼ収まる非係止位置と、図１（ｂ）の如く脚部６０Ａ，６０Ｂの間から突出される係止位置とに回動切り換えられる。係止位置から非係止位置にするときは操作部６７ｂを前方へ押す。すると、延長部６７（操作部材６６）は、コイルばね１０の付勢力に抗しシャフト９を支点に回動されて係止凸部６２ｂを完全に通過し、最終的に係合部６７ａが係止凸部６２ｂに係合する。同時に、アンカー部材６３は、圧接部６７ｃとカム面６４ｃ，６４ｄとの作動にて非係止位置まで回動されて保持される。非係止位置から係止位置にするときは接続部６６Ｃを前方へ押す。すると、延長部６７（操作部材６６）は、係合部６７ａが係止凸部６２ｄを乗り上げた後、コイルばね１０の付勢力で回動されて係止凸部６２ｄを完全に通過し、最終的に係合部６７ａがシャフト８の一端８ａに係合する。同時に、アンカー部材６３は、コイルばね１０の付勢力により圧接部６７ｃとカム面６４ｃ，６４ｄとの作動を受けながら所定の係止位置まで回動されて保持される。
【００１５】
（用途例）以上のロック装置６の用途例を図４から図７により概説する。図７のプロジェクタ１は、上記した如くハウジング２に内蔵されて液晶パネル及び回路系等を配置しているシャーシ３が昇降可能な可動枠４を有し、可動枠４に投写レンズ５を固定してハウジング２の開口２ａから露出している。プロジェクタ１の基本機構は、例えば、特開平６−３３７３９４号や特許第２５７８６９５号等に開示のものと同じ。従来と異なる構造は、投写レンズ５が可動枠４にロック装置６を用いて固定されている点、可動枠４がシャーシ３にユニット化された昇降装置７を介し駆動されるようにした点にある。なお、請求項６の光学装置は、投写レンズ５が機器側のシャーシ３に着脱可能に組み付けられているものを含む。
【００１６】
即ち、シャーシ３は、全体が略Ｌ形をなし、略平板状の水平部３１に光源ランプや液晶パネル及び回路系等を配置し、略矩形状の垂直壁３２に可動枠４を配置する構成である。垂直壁３２には、開口３３が設けられると共に、上下の鍔部３５ａ，３５ｂ及び両側の鍔部３５ｃ，３５ｄが設けられている。鍔部３５ａ，３５ｂの片側には、シャフト４８が取付孔３６ａ，３６ｂを介し垂直に配置される。シャフト４８は、下端に径小部４８ａを、上端に周回溝４８ｂをそれぞれ形成している。鍔部３５ｃの内上下部には、縦溝付きのガイド部材４９がねじ３９ａによりそれぞれ取り付けられている。鍔部３５ｄには、下側の段差３７と、上外側に突設された取付孔３４ａ付きの取付片３４とが設けられている。これに対し、可動枠４は、シャーシ３に対し余裕を持って配置され、上下動されたとき開口３３内に常に収まる開口４１と、上下の鍔部４２ａ，４２ｂ及び両側の鍔部４２ｃ，４２ｄとを有している。内面には、上記ロック装置６を取り付ける取付孔４１ａと、投写レンズ５に対する基準面となる４個の取付座４３と、投写レンズ５を位置決めする２個のピン４４が突設されている。取付孔４１ａは鍔部３５ｃ，３５ｄに接近して２個づつ設けられている。取付座４３は開口４１の周囲部にあって上下左右に位置し、ピン４４は上両側の取付座４３に接近している。鍔部４２ｃの外側には上下にガイド片４５が設けられている。鍔部４２ｄの外側には、嵌合孔４６ａを形成している支持部４６と、支持部４６同士の間に設けられた略コ形の連結部４７とが設けられている。以上の可動枠４は、ガイド片４５が対応するガイド部材４９の縦溝内に嵌合され、又、各支持部４６が嵌合孔４６ａに串差し状に挿通されるシャフト４８を介して、鍔部３５ａ〜３５ｄ内に上下摺動自在に支持される。なお、シャフト４８は、下端が径小部４８ａと取付孔３６ｂとの係合、上端が周回溝４８ｂに係合されるＥリング３８（図６参照）により鍔部３５ａ，３５ｂ間に保持されている。
【００１７】
投写レンズ５は、図面では模式化しているが、レンズ系５１を保持している鏡筒５２と、鏡筒５２に固定されている取付用フランジ部（マウント）５３と、フランジ部５３に設けられて前記した位置決め用ピン４４に係合する基準孔５４とを有している。そして、投写レンズ５は、上記のロック装置６により可動枠４に着脱可能に固定される。これに対し、昇降装置７は、ギアボックス７１に対し外部電源で駆動されるモータ８５、モータ８５の出力軸に装着されたウオームギア８６、ウオームギア８６と噛み合っているヘリカルギア８１、ヘリカルギア８１に一体化された雄ねじ付きのシャフト８０、シャフト８０の雄ねじに螺合している連結アーム７８、モータ８５や不図示の位置センサ等の作動を制御する制御回路を形成している基板７５を組み付けてユニット化したものである。そして、ギアボックス７１が前記したシャーシ３の取付片３４にねじ３９ｂ（図６参照）により取り付けられ、又、前記した可動枠４の連結部４７が連結アーム７８に係合連結される。以上の昇降装置７は、モータ８５の回転力をウオームギア８６、ヘリカルギア８１を介しシャフト８０に伝達し、該シャフト８０を正転又は逆転すると、シャフト８０に螺合されている連結アーム７８及び連結アーム７８に連結部４７を介し結合されている可動枠４を該シャフト８０に沿って上又は下へ移動する。機能は、投写レンズ５を可動枠４を介し上下に位置調整することにより、水平部３１に設置される各液晶パネルに対する投写レンズ５の中心位置を変化させて、スクリーン上に写しだされる投影画像の位置を可変するものである。
【００１８】
（使用要領）次に、以上の投写レンズ５を可動枠４に取り付けるときの要領をロック装置６の細部動作と共に説明する。図３はロック装置６を用いて投写レンズ５を可動枠４に固定する前後の状態を模式的に示している。なお、作図上は、投写レンズ５を省略し、フランジ部５３又はフランジ部５３Ａの両側部分だけを示している。フランジ部５３Ａは、投写レンズ５又はフランジ部５３が小型化つまりフランジ部５３の幅寸法Ｌ1より小さな幅寸法Ｌ2のものを想定している。上記したロック装置６は２個用いられて、可動枠４の内面にあって、それぞれ対向した状態で取り付けられる。従って、各ロック装置６は、一方（図３の左側）が脚部６０Ａを上にし、他方（図３の右側）が脚部６０Ｂを上にした状態で、ねじ３９ｃが取付用孔６１ｃから対応取付孔４１ａにねじ込まれて立設されている。
【００１９】
投写レンズ５の取付作業では、各ロック装置６のアンカー部材６３が仮に上記した係止位置にあるときは操作部６７ｂを前方へ押して非係止位置に保持する。投写レンズ５は、フランジ部５３（又はフランジ部５３Ａ）が基準孔５４を上記したピン４４に係合するようにして取付座４３に位置決め配置される。その後、操作部である接続部６６Ｃを可動枠４つまり支持部材６０上から取付面側へ押す。すると、アンカー部材６３は、係合部６７ａが係止凸部６２ｂを乗り上げると同時に、後はコイルばね１０の付勢力で係止位置方向へ回動され、途中で先端係止部６５がフランジ部５３又はフランジ部５３Ａの上縁に当たる。即ち、この構造では、図３（ｂ）の如く幅寸法や厚さが大きいフランジ部５３の場合、係止部６５のうち、アンカー部材６３の回動支点（シャフト８）に近い（つまり先端から離れた）係止面６５ａがフランジ部５３の上縁に当たって係止する。図３（ｃ）の如く幅寸法や厚さが小さいフランジ部５３Ａの場合、係止部６５のうち、アンカー部材６３の回動支点（シャフト８）から離れた（つまり先端側の）係止面６５ｂが該フランジ部５３Ａの上縁に当たって係止する。各係止力は、フランジ部５３，５３Ａを係止面６５ａ又は６５ｂと取付座４３との間に挟持する態様で発現されており、アンカー部材６３が受けているコイルばね１０の付勢力に比例する。細部的には、各係止面６５ａ，６５ｂが円弧面となっているためフランジ部５３，５３Ａの対応上縁に線当接して、常に安定した係止力を付与できる。
【００２０】
離脱操作では、図３（ｂ）や（ｃ）の状態から、延長部６７上に起立している操作部６７ｂを可動枠４つまり支持部材６０上から取付面側へ押す。すると、係合部６７ａが係止凸部６２ｄの端面上を滑りながら、係止凸部６２ｄを完全に通過したとき係止凸部６２ｄの縁に係止され、同時にアンカー部材６３が図３（ａ）の如く非係止位置に保持される。この状態では、アンカー部材６３が脚部６０Ａ，６０Ｂの間にほぼ入り込んで、係止部６５もフランジ部５３又はフランジ部５３Ａの上縁から逃げている。このため、投写レンズ５は、アンカー部材６３に不用意に当てることなく取付座４３から外される。このような構造では、投写レンズ５の固定と離脱の何れの操作も前方からの押し操作により行え、着脱操作性に優れ、投写レンズ５の固定や交換を迅速に行えるという利点がある。
【００２１】
なお、本発明は以上の形態に制約されるものではなく、請求項で特定した要件を具備する範囲で種々変形可能なものである。その一例としては、投写レンズ５は他の物品であってもよく、更にフランジ部５３，５３Ａの形状は円形や多角形等であっても差し支えない。
【００２２】
【発明の効果】
以上説明したとおり、本発明のロック装置は、アンカー部材の係止力を付勢部材の付勢に比例した強さで得る構造において、特に、部材数を抑えて簡易化を達成しながら、物品の固定及び離脱操作を共に前方からの押し操作により行うことができる。このため、これを用いた光学装置では、レンズ組立体をワンタッチで固定したり外すことができ、その結果、作業性を改善でき、交換時にレンズ組立体を損傷する虞も解消できる。
【図面の簡単な説明】
【図１】  本発明を適用したロック装置を異なる態様で示す構成図である。
【図２】  上記ロック装置を分解した構成図である。
【図３】  上記ロック装置の使用例を示す作動図である。
【図４】  本発明の光学装置例を示す要部外観図である。
【図５】  上記光学装置要部の分解図である。
【図６】  上記光学装置要部を正面から見た図である。
【図７】  上記光学装置全体の外観を模式化した図である。
【符号の説明】
１…プロジクタ（光学装置に相当し、２はハウジング、３はシャーシ）
４…可動枠（４３は取付面に相当する取付座、４４は位置決め用ピン）
５…投写レンズ（物品に相当し、５３，５３Ａはフランジ部、５４は基準孔）
６…ロック装置
８，９…シャフト（枢軸又は軸）
１０…コイルばね（付勢部材）
６０…支持部材（６０Ａ，６０Ｂは脚部、６２ｄは突起である係止凸部）
６３…アンカー部材（６３Ａ，６３Ｂは片部、６４ｃ，６４ｄはカム面）
６５…係止部（６５ａ，６５ｂは第１及び第２係止面）
６６…操作部材（６６Ａ，６６Ｂはアーム部、６０Ｃは操作部兼用の接続部）
６７…延長部（６７ａは係合部、６７ｂは操作部、６７ｃは圧接部）
【図１】
0004668478.tif 000002
【図２】
0004668478.tif 000003
【図３】
0004668478.tif 000004
【図４】
0004668478.tif 000005
【図５】
0004668478.tif 000006
【図６】
0004668478.tif 000007
【図７】
0004668478.tif 000008